Podtech/llm-jp-corpus-v4-ja_patent huggingface dataset:
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
撮像によって生成した画像信号の情報量を圧縮して記録媒体に記録する撮像装置において、
前記画像信号の情報量を圧縮可能な複数の符号化方式に対応する画像符号化手段と、
前記画像符号化手段で符号化された画像信号を前記記録媒体に記録する記録手段と、
前記記録媒体に記録された画像信号を再生する再生手段と、
前記再生手段で再生された画像信号を外部に出力する画像出力手段と、
前記再生手段が前記記録された画像信号を再生可能なモードのときに、前記画像出力手段に接続された接続ケーブルの種類または前記画像出力手段における画像信号の出力状態に応じて決定される前記画像符号化手段における符号化方式を選択するための情報を記憶する記憶手段と、
前記記憶手段に記憶された情報に従って、前記画像符号化手段における前記複数の符号化方式から１つの符号化方式を選択する符号化方式選択手段とを備えたことを特徴とする撮像装置。
【請求項２】
前記符号化方式選択手段は、前記記憶手段に記憶された情報に従って、撮像装置が電源オン状態になったときに、前記画像符号化手段における前記複数の符号化方式から１つの符号化方式を選択することを特徴とする請求項１に記載の撮像装置。
【請求項３】
前記画像出力手段に接続された接続ケーブルの種類を検出する検出手段をさらに備え、
前記記憶手段は、前記検出手段によってデジタル出力用のインタフェースケーブルが検出されたときと、アナログ出力等のＡＶケーブルが検出されたときで異なる符号化方式を選択するための情報を記憶することを特徴とする請求項１または２に記載の撮像装置。
【請求項４】
前記記憶手段は、前記画像出力手段における画像信号の出力状態がアナログ出力のときと、デジタル出力のときで異なる符号化方式を選択するための情報を記憶することを特徴とする請求項１または２に記載の撮像装置。
【請求項５】
前記記憶手段は、前記画像出力手段における画像信号の出力状態がストリーム転送のときと、ファイル転送のときで異なる符号化方式を選択するための情報を記憶することを特徴とする請求項１または２に記載の撮像装置。
【請求項６】
前記画像出力手段は、前記撮像装置に対して着脱可能なドッキングステーション部を含むことを特徴とする請求項１乃至５のいずれか１項に記載の撮像装置。
【請求項７】
撮像によって生成した画像信号の情報量を圧縮して記録媒体に記録する撮像装置の制御方法において、
前記画像信号の情報量を圧縮可能な複数の符号化方式に対応する画像符号化ステップと、
前記画像符号化ステップで符号化された画像信号を前記記録媒体に記録する記録ステップと、
前記記録媒体に記録された画像信号を再生する再生ステップと、
前記再生ステップで再生された画像信号を出力端子から外部に出力する画像出力ステップと、
前記撮像装置が前記記録された画像信号を再生可能なモードのときに、前記出力端子に接続された接続ケーブルの種類または前記画像出力ステップにおける画像信号の出力状態に応じて決定される前記画像符号化ステップにおける符号化方式を選択するための情報を記憶する記憶ステップと、
前記記憶ステップで記憶された情報に従って、前記画像符号化ステップにおける前記複数の符号化方式から１つの符号化方式を選択する符号化方式選択ステップとを有することを特徴とする撮像装置の制御方法。
【手続補正２】
【補正対象書類名】明細書
【補正対象項目名】０００６
【補正方法】変更
【補正の内容】
【０００６】
上記課題を解決するために、本発明の撮像装置は、撮像によって生成した画像信号の情報量を圧縮して記録媒体に記録する撮像装置において、前記画像信号の情報量を圧縮可能な複数の符号化方式に対応する画像符号化手段と、前記画像符号化手段で符号化された画像信号を前記記録媒体に記録する記録手段と、前記記録媒体に記録された画像信号を再生する再生手段と、前記再生手段で再生された画像信号を外部に出力する画像出力手段と、前記再生手段が前記記録された画像信号を再生可能なモードのときに、前記画像出力手段に接続された接続ケーブルの種類または前記画像出力手段における画像信号の出力状態に応じて決定される前記画像符号化手段における符号化方式を選択するための情報を記憶する記憶手段と、前記記憶手段に記憶された情報に従って、前記画像符号化手段における前記複数の符号化方式から１つの符号化方式を選択する符号化方式選択手段とを備えたことを特徴とする。
【手続補正３】
【補正対象書類名】明細書
【補正対象項目名】０００７
【補正方法】変更
【補正の内容】
【０００７】
また、本発明の撮像装置の制御方法は、撮像によって生成した画像信号の情報量を圧縮して記録媒体に記録する撮像装置の制御方法において、前記画像信号の情報量を圧縮可能な複数の符号化方式に対応する画像符号化ステップと、前記画像符号化ステップで符号化された画像信号を前記記録媒体に記録する記録ステップと、前記記録媒体に記録された画像信号を再生する再生ステップと、前記再生ステップで再生された画像信号を出力端子から外部に出力する画像出力ステップと、前記撮像装置が前記記録された画像信号を再生可能なモードのときに、前記出力端子に接続された接続ケーブルの種類または前記画像出力ステップにおける画像信号の出力状態に応じて決定される前記画像符号化ステップにおける符号化方式を選択するための情報を記憶する記憶ステップと、前記記憶ステップで記憶された情報に従って、前記画像符号化ステップにおける前記複数の符号化方式から１つの符号化方式を選択する符号化方式選択ステップとを有することを特徴とする。
【手続補正４】
【補正対象書類名】明細書
【補正対象項目名】０００８
【補正方法】変更
【補正の内容】
【０００８】
本発明によれば、接続された接続ケーブルの種類または画像信号の出力状態に応じて決定される符号化方式を選択するための情報を記憶することにより、例えば次回起動時に記憶された情報に応じた符号化方式が自動で選択できるようになり、ユーザの使用環境に適した画像圧縮方式が容易に選択できる。
【手続補正５】
【補正対象書類名】明細書
【補正対象項目名】０００９
【補正方法】削除
【補正の内容】
【手続補正６】
【補正対象書類名】明細書
【補正対象項目名】００３２
【補正方法】変更
【補正の内容】
【００３２】
以上、説明したの構成をイラストで表わしたものが図７である。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
ネットワークとの接続イベントに応じたアドレスアサインに対応して、前記ネットワークにおけるデフォルトルータを登録する登録手段と、
前記ネットワークからの切断イベントに応じて、前記登録手段により登録されたデフォルトルータを削除する削除手段と、
を有することを特徴とする通信装置。
【請求項２】
前記登録手段により登録すると、上位アプリケーションに利用可を通知する手段を更に有することを特徴とする請求項１に記載の通信装置。
【請求項３】
前記削除手段により削除が行われた場合、上位アプリケーションにオフラインを通知する手段を更に有することを特徴とする請求項１又は２に記載の通信装置。
【請求項４】
設定された時間内に前記デフォルトルータからのメッセージを受信しない場合には、前記登録手段により登録された前記デフォルトルータを削除することを特徴とする請求項１乃至３のいずれか１項に記載の通信装置。
【請求項５】
ネットワークとの接続イベントに応じたアドレスアサインに対応して、前記ネットワークにおけるデフォルトルータをメモリに登録する登録工程と、
前記ネットワークからの切断イベントに応じて、前記メモリに登録されたデフォルトルータを削除する削除工程と、
を有することを特徴とする通信装置の制御方法。
【請求項６】
前記登録工程により登録すると、上位アプリケーションに利用可を通知する工程を更に有することを特徴とする請求項５に記載の通信装置の制御方法。
【請求項７】
前記削除工程により削除が行われた場合、上位アプリケーションにオフラインを通知する工程を更に有することを特徴とする請求項５又は６に記載の通信装置の制御方法。
【請求項８】
設定された時間内に前記デフォルトルータからのメッセージを受信しない場合には、前記メモリに登録された前記デフォルトルータを削除することを特徴とする請求項５乃至７のいずれか１項に記載の通信装置の制御方法。
【手続補正２】
【補正対象書類名】明細書
【補正対象項目名】０００４
【補正方法】変更
【補正の内容】
【０００４】
本発明は上記問題点に鑑みてなされたもので、本発明の特徴は、ネットワークインターフェースのLink up，Link downを検知した上で、ＯＳに対してデフォルトルータ（デフォルトルート）の設定及び消去、再設定を明示的に制御できる通信装置及びその制御方法を提供することにある。
【手続補正３】
【補正対象書類名】明細書
【補正対象項目名】０００５
【補正方法】変更
【補正の内容】
【０００５】
本発明の一態様に係る通信装置は以下のような構成を備える。即ち、
ネットワークとの接続イベントに応じたアドレスアサインに対応して、前記ネットワークにおけるデフォルトルータを登録する登録手段と、
前記ネットワークからの切断イベントに応じて、前記登録手段により登録されたデフォルトルータを削除する削除手段と、
を有することを特徴とする。
【手続補正４】
【補正対象書類名】明細書
【補正対象項目名】０００６
【補正方法】変更
【補正の内容】
【０００６】
本発明の一態様に係る通信装置の制御方法は以下のような工程を備える。即ち、
ネットワークとの接続イベントに応じたアドレスアサインに対応して、前記ネットワークにおけるデフォルトルータをメモリに登録する登録工程と、
前記ネットワークからの切断イベントに応じて、前記メモリに登録されたデフォルトルータを削除する削除工程と、
を有することを特徴とする。
【手続補正５】
【補正対象書類名】明細書
【補正対象項目名】００１７
【補正方法】変更
【補正の内容】
【００１７】
この端末１０１は、ＣＰＵ９０１と、ＲＯＭ９０２と、ＲＡＭ９０３と、ハードディスク（ＨＤ）９０７及びフロッピー（登録商標）ディスク（ＦＤ）９０８のディスクコントローラ（ＤＣ）９０５と、ネットワークインターフェースカード（ＮＩＣ）９０６とが、システムバス９０４を介して互いに通信可能に接続されている。そしてシステムバス９０４が、ＬＡＮセグメント１０４とネットワークインターフェースカード（ＮＩＣ）９０６を介して接続される。ＣＰＵ９０１は、ＲＯＭ９０２或はＨＤ９０７に記憶されたソフトウェア、或はＦＤ９０８より供給されるソフトウェアを実行することで、システムバス９０４に接続された各部を統括的に制御している。即ち、ＣＰＵ９０１は、本実施の形態にて説明したような図７〜図９の処理シーケンスに従った処理プログラムを、ＲＯＭ９０２、或はＨＤ９０７或はＦＤ９０８からＲＡＭ９０３にロードして実行することで、本実施の形態に係る動作を実現するための制御を行う。ＲＡＭ９０３は、ＣＰＵ９０１の主メモリ或はワークエリア等として機能する。ＤＣ９０５は、ブートプログラム、種々のアプリケーション、編集ファイル、ユーザファイル、ネットワーク管理プログラム、及び本実施の形態における上記処理プログラム等を記憶するＨＤ９０７及びＦＤ９０８とのアクセスを制御する。ＮＩＣ９０６は、ＬＡＮセグメント１０４（或は１０５）を通じてＩＰｖ６通信プロトコルを用いた相互通信を実行する。
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
ネットワークに流入する入力パケットまたはフレームの単位時間あたりの流量であるレートを監視するネットワーク監視装置であって、監視レートの種別を可変とすることを特徴とするネットワーク監視装置。
【請求項２】
請求項8に記載のネットワーク監視装置であって、監視レートの種別を単位時間当たりの入力パケット長またはフレーム長を示すビット数であるビットレートと、単位時間当たりの入力パケットまたはフレームの個数であるパケットレートとで可変とすることを特徴とするネットワーク監視装置。
【請求項３】
請求項8に記載のネットワーク監視装置であって、同一パケットをパケットレートとビットレート等の異なる監視レートにより同時に監視することを特徴とするネットワーク監視装置。
【請求項４】
請求項8から10のいずれか1項に記載のネットワーク監視装置であって、監視レートを超過した入力パケットまたはフレームに対する制裁として廃棄するか、またはネットワーク監視装置内での優先度を変更するか、またはネットワーク内の優先度を変更することを特徴とするネットワーク監視装置。
【請求項５】
請求項8から11のいずれか1項に記載のネットワーク監視装置であって、
入力パケットまたはフレームが入力する物理的及び論理的な回線情報と、出力する物理的及び論理的な回線情報と、ヘッダ内のアドレス情報と用途情報とネットワーク内の優先度情報と、のうち少なくとも一つの情報から決まるパケットまたはフレームの一連の流れであるフロー毎に、出力されるパケットまたはフレームのレートを制御する監視レートの種別をビットレートとパケットレートとで可変とすることを特徴とするネットワーク監視装置。
【請求項６】
請求項8から11のいずれか1項に記載のネットワーク監視装置であって、フロー毎に備えるバケツに追加する水量の種別をビット数と個数とで可変とすることにより、フロー毎に出力されるパケットまたはフレームのレートを制御する監視レートの種別を可変とすることを特徴とするネットワーク監視装置。
【請求項７】
請求項13に記載のネットワーク監視装置であって、レート違反と判定されたフローに対し前記一定時間の間は前記ネットワーク監視装置から前記フローに属するパケットまたはフレームを出力しないことを特徴とするネットワーク監視装置。
【請求項８】
請求項13に記載のネットワーク監視装置であって、入力パケットまたはフレームが出力される前記ネットワーク監視装置の出力回線で規定される最短フレーム長または最短パケット長のビット数未満の入力パケットまたはフレームに対して、バケツに追加する水量を前記出力回線の最短フレーム長または最短パケット長のビット数に相当する水量とすることにより、フロー毎に出力されるパケットまたはフレームのビットレートを制御するネットワーク監視装置。
【請求項９】
請求項12に記載のネットワーク監視装置であって、
入力パケットまたはフレームが入力する物理的及び論理的な回線情報と出力する物理的及び論理的な回線情報とヘッダ内のアドレス情報と用途情報とネットワーク内の優先度情報とのうち少なくとも一つの情報から入力パケットまたはフレームの属するフローを検出して、前記フローの識別子であるフロー識別子を判定するフロー検出手段と、レート監視のための制御情報として監視レートの種別であるレート識別子を含むレート監視情報から構成されるエントリを一つあるいは複数所持するレート監視テーブルと、前記フロー識別子に対応するエントリをレート監視テーブルから読み出すレート監視テーブル制御手段と、前記レート監視テーブル制御手段が読み出したエントリ内のレート識別子を含むレート監視情報と現時刻を表すタイマーの値に基づいて前記入力パケットまたはフレームのレート遵守・違反の判定を行う監視結果判定手段と、前記監視結果判定手段の判定結果により前記入力パケットまたはフレームに対する制裁を判定する制裁判定手段とを所持することを特徴とするネットワーク監視装置。
【請求項１０】
請求項13から15のいずれか1項に記載のネットワーク監視装置であって、
入力パケットが入力する物理的及び論理的な回線情報と出力する物理的及び論理的な回線情報とヘッダ内のアドレス情報と用途情報とネットワーク内の優先度情報とのうち少なくとも一つの情報から入力パケットまたはフレームの属するフローを検出して、前記フローの識別子であるフロー識別子を判定するフロー検出手段と、リーキーバケットアルゴリズムまたはこれと等価なアルゴリズムによるレート監視のための制御情報としてバケツに追加する水量の種別を選択する水量識別子を含むレート監視情報から構成されるエントリを一つあるいは複数所持するレート監視テーブルと、前記フロー識別子に対応するエントリをレート監視テーブルから読み出すレート監視テーブル制御手段と、前記レート監視テーブル制御手段が読み出したエントリ内の水量識別子により種別を選択された水量とレート監視情報と現時刻を表すタイマーの値に基づいて入力パケットまたはフレームのレート遵守・違反の判定を行う監視結果判定手段と、前記監視結果判定手段の判定結果により前記入力パケットまたはフレームに対する制裁を判定する制裁判定手段とを所持することを特徴とするネットワーク監視装置。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
ＴＳ信号を送信する第１の送信機および上記第１の送信機からのＴＳ信号を受信する第１の受信機からなるデータ伝送装置において、上記第１の送信機は、少なくとも上記ＴＳ信号の内容に応じてビットレートを変更するレート変換部と、上記ＴＳ信号の内容に応じてＲＳ符号化を選択するＤＶＢ符号化処理部および変調部からなり、上記第１の受信機は、少なくとも受信した上記ＴＳ信号を復調する復調部と、上記ＴＳ信号の内容に応じてＲＳ復号化を選択するＤＶＢ復号化処理部および上記ＴＳ信号の内容に応じてビットレートを変更する逆レート変換部とを有することを特徴とするデータ伝送装置。
【請求項２】
ＴＳ信号を送信する第１の送信機は、少なくとも上記ＴＳ信号の内容に応じてビットレートを変更するレート変換部と、上記ＴＳ信号の内容に応じてＲＳ符号化を選択するＤＶＢ符号化処理部および変調部からなり、上記ＴＳ信号の内容に応じてビットレートを変更するレート変換部は、無効データを上記ＴＳ信号に挿入する機能を有し、上記ＲＳ符号化を選択するＤＶＢ符号化処理部は、上記無効データを挿入された上記ＴＳ信号、または、ビットレートが変更された上記ＴＳ信号、または、所定のＩＤが検出された上記ＴＳ信号、または、所定の補助データが検出された上記ＴＳ信号のいずれかの信号の場合、上記ＲＳ符号化を実行しない機能を有することを特徴とする送信機。
【請求項３】
ＴＳ信号を受信する第１の受信機は、少なくとも受信した上記ＴＳ信号を復調する復調部と、上記ＴＳ信号の内容に応じてＲＳ復号化を選択するＤＶＢ復号化処理部および上記ＴＳ信号の内容に応じてビットレートを変更する逆レート変換部からなり、上記ＴＳ信号が無効データを含んでいる場合、上記ＲＳ符号化を実行しない機能を有し、上記ＴＳ信号の内容に応じてビットレートを変更する逆レート変換部は、上記無効データを削除する機能を有することを特徴とする受信機。
【請求項４】
請求項３記載の受信機において、更に、上記逆レート変換部から上記ＴＳ信号のクロック信号を検出するクロック信号検出部と上記検出されたクロック信号を分周する分周器を具え、上記分周器からシステムクロックを出力することを特徴とする受信機。
【請求項５】
請求項１記載のデータ伝送装置において、更に、上記ＴＳ信号の第２の送信機と、上記ＴＳ信号の第２の受信機と、上記第１の送信機と上記第２の送信機を適宜切替える第１の切替手段と、上記第１の受信機と上記第２の受信機を切替える第２の切替手段および上記ＴＳ信号の内容に応じて上記第１と第２の切替手段を制御する制御部とを有することを特徴とするデータ伝送装置。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
画像出力装置に画像記録媒体を接続し、
前記画像出力装置において、当該画像出力装置が対応可能な画像形式を示す情報ファイルを前記画像記録媒体に記録し、
前記画像記録媒体を画像入力装置に接続し、
前記画像入力装置において、前記画像記録媒体に記録される情報ファイルにしたがって前記画像出力装置が対応可能な画像形式で画像データを前記画像記録媒体に記録し、
前記画像記録媒体を前記画像出力装置に接続し、
前記画像出力装置において、前記画像記録媒体に記録される画像データを読み出し出力する
ことを特徴とする画像転送方法。
【請求項２】
画像データを記録する着脱可能な画像記録媒体を接続可能な画像入力装置であって、
前記画像記録媒体に記録された画像データを利用する画像出力装置が対応可能な画像形式を示す情報ファイルを前記画像記録媒体から読み取る読取り手段と、
前記読取り手段によって読み取られた情報ファイルによって示される画像形式にしたがって変換された画像データを前記画像記録媒体に記録する記録手段
とを具備することを特徴とする画像入力装置。
【請求項３】
前記読取り手段は、前記画像記録媒体の予め定められたフォルダ内に記録されている情報ファイルを読取ることを特徴とする請求項２に記載の画像入力装置。
【請求項４】
前記読取り手段は、前記画像記録媒体に記録されている複数の画像出力装置によって記録された複数の情報ファイルのうち、最新の情報ファイルを読取ることを特徴とする請求項２または３に記載の画像入力装置。
【請求項５】
複数の圧縮フォーマットに対応した画像処理手段をさらに備え、
前記画像処理手段は前記読取り手段によって読み取られた情報ファイルによって示される圧縮フォーマットにしたがった画像圧縮を行い、前記記録手段は前記画像処理手段によって圧縮された画像データを前記画像記録媒体に記録することを特徴とする請求項２乃至４の何れか１項に記載の画像入力装置。
【請求項６】
前記情報ファイルには、前記画像出力装置が対応可能な圧縮フォーマットを示す情報、画像サイズを示す情報、及び、バッファサイズを示す情報の何れか１つ以上の情報が記述されることを特徴とする請求項２乃至５の何れか１項に記載の画像入力装置。
【手続補正２】
【補正対象書類名】明細書
【補正対象項目名】発明の名称
【補正方法】変更
【補正の内容】
【発明の名称】画像転送方法及び画像入力装置
【手続補正３】
【補正対象書類名】明細書
【補正対象項目名】０００１
【補正方法】変更
【補正の内容】
【０００１】
本発明は、着脱可能な画像記録媒体を介して画像入力装置から画像出力装置に画像データを転送する方法及び画像入力装置に関する。
【手続補正４】
【補正対象書類名】明細書
【補正対象項目名】００１１
【補正方法】変更
【補正の内容】
【００１１】
本発明は、このような不都合を解消する画像転送方法及び画像入力装置を提示することを目的とする。
【手続補正５】
【補正対象書類名】明細書
【補正対象項目名】００１２
【補正方法】変更
【補正の内容】
【００１２】
本発明に係る画像転送方法は、画像出力装置に画像記録媒体を接続し、前記画像出力装置において、当該画像出力装置が対応可能な画像形式を示す情報ファイルを前記画像記録媒体に記録し、前記画像記録媒体を画像入力装置に接続し、前記画像入力装置において、前記画像記録媒体に記録される情報ファイルにしたがって前記画像出力装置が対応可能な画像形式で画像データを前記画像記録媒体に記録し、前記画像記録媒体を前記画像出力装置に接続し、前記画像出力装置において、前記画像記録媒体に記録される画像データを読み出し出力することを特徴とする。
【手続補正６】
【補正対象書類名】明細書
【補正対象項目名】００１３
【補正方法】変更
【補正の内容】
【００１３】
本発明に係る画像入力装置は、画像データを記録する着脱可能な画像記録媒体を接続可能な画像入力装置であって、前記画像記録媒体に記録された画像データを利用する画像出力装置が対応可能な画像形式を示す情報ファイルを前記画像記録媒体から読み取る読取り手段と、
前記読取り手段によって読み取られた情報ファイルによって示される画像形式にしたがって変換された画像データを前記画像記録媒体に記録する記録手段とを具備することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００２４
【補正方法】変更
【補正の内容】
【００２４】
２０９はカードインターフェースであり、２１０はメモリカードである。メモリカード２１０は、カードインターフェース２０９を介してカムコーダ１０１の各部とデータをやり取りする。
【手続補正１２】
【補正対象書類名】明細書
【補正対象項目名】００２７
【補正方法】変更
【補正の内容】
【００２７】
図５は、メモリカード１０２上でのプロファイルの保存場所を示す。ルートフォルダ５０１はメモリカード１０２上に１つあり、最上位階層に位置する。５０２は、各種画像ファイルを収めるフォルダである。この下に、例えば、静止画像データ５０３，５０４，５０５が保存される。図の例では、静止画像データを保存するフォルダとしているが、出力機器によっては、動画像データ用のフォルダが作成される場合がある。ルートフォルダ５０１内に、プロファイル５０６が一つだけ収容される。プロファイル５０６が存在する位置をルートフォルダ５０１の直下と決めておくことで、プロファイル５０６の有無を容易に識別でき、参照と変更が容易になる。また、予め定めた別の位置にプロファイル５０６を収容しても良い。
【手続補正１３】
【補正対象書類名】明細書
【補正対象項目名】００３９
【補正方法】変更
【補正の内容】
【００３９】
図１０は、テレビ９０３の概略構成ブロック図を示す。１００１はカードインターフェースであり、１００２はメモリカードである。メモリカード１００２は、カードインターフェース１００１を介して、テレビ９０３の各部とデータをやり取りする。画像処理部１００３は、圧縮画像データの伸長、ここではＭＰＥＧ２の伸長処理等の処理を行う。本実施例では、各画像出力装置９０３，９０４，９０５は、少なくとも１つの伸長処理に対応していれば良い。チューナ１００４は、放送を受信して画像データに変換し、各部に出力する。ＣＰＵ１００５は、テレビ９０３の全体処理を制御する。ＲＡＭ１００６は、画像データ等の一時保存に使用される。ディスプレイ１００７は、画像を表示する。テレビ９０３は、通常は、チューナ１００４で受信した放送の画像をディスプレイ１００７に表示し、その一方で、メモリカード１００２に記録された圧縮画像データを伸長し、ディププレイ１００７に表示する能力を具備する。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
直交変調に用いる第一のディジタル変調信号と第二のディジタル変調信号の少なくとも何れかについてディジタル値を加算する加算手段と、
直交変調後の搬送波成分が抑圧される方向に、前記加算手段で加算するディジタル値を第１のディジタル値と第２のディジタル値とを時分割的に所定のパターンで切り替える切り替え手段と
を備えたことを特徴とするオフセット補償回路。
【請求項２】
語長が搬送波の直交変調に適用される語長より大きい第一のディジタル変調信号と第二のディジタル変調信号とに、第一のオフセット値および第二のオフセット値をそれぞれ加算し、これらの加算の結果を前記適用される語長に丸めて前記直交変調に適用する加算手段を備えた
ことを特徴とするオフセット補償回路。
【請求項３】
語長が搬送波の直交変調に適用される語長より大きい第一のディジタル変調信号と第二のディジタル変調信号とに、第一のオフセット値および第二のオフセット値をそれぞれ加算し、これらの加算の結果を前記適用される語長に丸めて前記直交変調に適用する加算手段と、
前記第一のオフセット値および前記第二のオフセット値の全ての組み合わせの内、前記直交変調の不平衡の程度が最小となり、または既定の閾値を下回る組み合わせを適用する制御手段と
を備えたことを特徴とするオフセット補償回路。
【請求項４】
前記第１のディジタル値と前記第２ディジタル値は、値が１だけ異なる値であり、
前記切り替え手段は、
前記第２ディジタル値に切り替える時間を分散させた
ことを特徴とする請求項１記載のオフセット補償回路。
【手続補正書】
【提出日】平成19年4月23日(2007.4.23)
【手続補正１】
【補正対象書類名】明細書
【補正対象項目名】００２１
【補正方法】変更
【補正の内容】
【００２１】
パスの一端のＯＸＣ装置１００は、ポート１Ｒでクライアント装置１０からの信号を受信し、その内部スイッチは、出力先としてポート２Ｔを選択している。また、クライアント装置１０への出力用ポート１Ｔは、ＯＸＣ装置１００のポート２Ｒを選択するよう、内部スイッチが制御されている。これに対して、図中で破線で示したのは、予備系を選択した場合の、内部スイッチの接続であり、ＯＸＣ装置１００のポート１Ｒはポート５Ｔと接続し、ポート１Ｔはポート５Ｒと接続する。同様に、パスの他端のＯＸＣ装置４００は、ポート１Ｒでクライアント装置３０からの信号を受信し、その内部スイッチは、出力先としてポート２Ｔを選択している。また、クライアント装置３０への出力用ポート１Ｔは、ＯＸＣ装置４００のポート２Ｒを選択するよう、内部スイッチが制御されている。これに対して、予備系を選択した場合、内部スイッチは、ＯＸＣ装置４００のポート１Ｒはポート５Ｔと接続し、ポート１Ｔはポート５Ｒと接続する。
一方、パスの内部に配置されたＯＸＣ装置２００、３００では、このパスについては、固定の接続である。
【手続補正２】
【補正対象書類名】明細書
【補正対象項目名】００２５
【補正方法】変更
【補正の内容】
【００２５】
一方、クライアント装置３０からの光信号は、ＯＸＣ装置４００のポート１Ｒ、ポート２Ｔを介して、ＷＤＭ装置５３０に入力される。光信号は、ＷＤＭ装置５３０で波長をλ１に変換され、他の光信号と波長多重される。波長多重光信号は、光ファイバ６０４を介して、対向するＷＤＭ装置５２０で受信される。波長λ１の光信号は、ＷＤＭ装置５２０でＯＴＮ終端された後、ＯＸＣ装置２００のポート５Ｒに送られる。ＯＸＣ装置２００は、ポート５Ｒの出力先としてポート２Ｔが選択されている。したがって、光信号は、ＯＸＣ装置２００のポート２Ｔと接続されたＷＤＭ装置５１０の送受信トランスポンダ５１１で受信される。送受信トランスポンダ５１１は、光信号に波長多重区間で有効なＯＴＮ管理情報を付加し、波長λ１に変換する。波長λ１に変換された光信号は、波長多重部５１４で、送受信トランスポンダ５１２からの波長λ２の光信号と、送受信トランスポンダ５１３からの波長λ３の光信号と多重される。波長多重光信号は、光ファイバ６０２に送出される。
【手続補正３】
【補正対象書類名】明細書
【補正対象項目名】００４７
【補正方法】変更
【補正の内容】
【００４７】
クライアント装置１０とクライアント装置３０との間のパスについて、光スイッチの接続状態を、以下説明する。図６は、双方向の光信号伝送に異常のない、現用系を選択した状態である。なお、光レベルモニタ部に付した”○”は、入力光信号が正常であることを意味し、”×”は、入力光信号が異常であることを意味する。すなわち、図６（ａ）で、クライアント装置１０からの光信号とＯＸＣ装置２００からの光信号とは正常であり、現用系を選択しているため予備系のＯＸＣ装置３００からの光信号は断している。また、光スイッチ１３０クロスコネクト状態は、クライアント装置１０からの光信号をＯＸＣ装置２００に接続し、ＯＸＣ装置２００からの光信号をクライアント装置１０に接続している。なお、図６ないし図９では、ノード間とクライアント装置で説明するが、ノード間にＷＤＭ装置があるのは、前述の通りである。
【手続補正４】
【補正対象書類名】図面
【補正対象項目名】図４
【補正方法】変更
【補正の内容】
【図４】
2006033580.tif 000001
【手続補正５】
【補正対象書類名】図面
【補正対象項目名】図５
【補正方法】変更
【補正の内容】
【図５】
2006033580.tif 000002
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
ＩＰ網に接続された複数台のＩＰ電話装置と、前記ＩＰ電話装置間で行われる会議を識別する番号と当該会議に参加するＩＰ電話装置の識別情報が指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードに応じて当該会議に参加する他のＩＰ電話装置の識別情報を取得することを特徴とするＩＰ電話システム。
【請求項２】
前記ＥＮＵＭサーバは、前記ＩＰ電話装置の識別情報として当該ＩＰ電話装置の電話番号がＵＲＩに指定されたＮＡＰＴＲリソースレコードを登録することを特徴とする請求項１記載のＩＰ電話システム。
【請求項３】
前記ＩＰ電話装置から出力される通信データのミキシングを行うミキシングサーバを更に具備することを特徴とする請求項１記載のＩＰ電話システム。
【請求項４】
前記ミキシングサーバは、前記ＩＰ電話装置から出力される音声データのミキシングを行うことを特徴とする請求項３記載のＩＰ電話システム。
【請求項５】
前記ミキシングサーバは、前記ＩＰ電話装置から出力される音声データ及び画像データのミキシングを行うことを特徴とする請求項３記載のＩＰ電話システム。
【請求項６】
複数の端末間で行われる会議を識別する番号をドメイン名とし当該会議に参加する複数の端末の識別情報をＵＲＩとしたＮＡＰＴＲリソースレコードを記憶する記憶手段と、ドメイン名を指定した前記端末からの問合せに応じて該当するＮＡＰＴＲリソースレコードを返送する返信手段とを備えたＥＮＵＭサーバ。
【請求項７】
ＩＰ網上のＩＰ電話装置間で行われる会議を識別する番号と当該会議に参加するＩＰ電話装置の識別情報が指定されたＮＡＰＴＲリソースレコードを登録するＥＮＵＭサーバに接続されたＩＰ電話装置における端末情報取得方法であって、前記会議に参加するＩＰ電話装置は、当該会議を識別する番号を指定してＮＡＰＴＲリソースレコードを前記ＥＮＵＭサーバに問い合わせ、返送されたＮＡＰＴＲリソースレコードに応じて当該会議に参加する他のＩＰ電話装置の識別情報を取得することを特徴とする端末情報取得方法。
【請求項８】
前記ＥＮＵＭサーバは、前記ＩＰ電話装置の識別情報として当該ＩＰ電話装置の電話番号がＵＲＩに指定されたＮＡＰＴＲリソースレコードを登録し、前記会議に参加するＩＰ電話装置は、当該会議に参加する他のＩＰ電話装置の識別情報として当該ＩＰ電話装置の電話番号を取得することを特徴とする請求項７記載の端末情報取得方法。
【請求項９】
複数の端末間で行われる会議を識別する番号を指定してＮＡＰＴＲリソースレコードをＥＮＵＭサーバに問い合わせ、返送されたＮＡＰＴＲリソースレコードに応じて当該会議に参加する他のＩＰ電話装置の識別情報を取得し、前記取得した識別情報の他のＩＰ電話装置に発呼することを特徴とするＩＰ電話装置。
【手続補正２】
【補正対象書類名】明細書
【補正対象項目名】発明の名称
【補正方法】変更
【補正の内容】
【発明の名称】ＩＰ電話システム及び端末情報取得方法、ＩＰ電話装置
【手続補正３】
【補正対象書類名】明細書
【補正対象項目名】０００１
【補正方法】変更
【補正の内容】
【０００１】
本発明は、ＩＰ網を介した通話を可能とするＩＰ電話システム及び端末情報取得方法、ＩＰ電話装置に関する。
【手続補正４】
【補正対象書類名】明細書
【補正対象項目名】０００６
【補正方法】変更
【補正の内容】
【０００６】
本発明は、かかる問題点に鑑みて為されたものであり、ＩＰ電話を用いて会議を行う際の準備に要する労力を低減し、スムーズな会議の運営を実現することができるＩＰ電話システム及び端末情報取得方法、ＩＰ電話装置を提供することを目的とする。
【手続補正５】
【補正対象書類名】明細書
【補正対象項目名】００２２
【補正方法】変更
【補正の内容】
【００２２】
本発明の第９の態様に係るＩＰ電話装置は、複数の端末間で行われる会議を識別する番号を指定してＮＡＰＴＲリソースレコードをＥＮＵＭサーバに問い合わせ、返送されたＮＡＰＴＲリソースレコードに応じて当該会議に参加する他のＩＰ電話装置の識別情報を取得し、前記取得した識別情報の他のＩＰ電話装置に発呼するものである。
この構成によれば、会議に参加するＩＰ電話装置は、当該会議に参加する他のＩＰ電話装置の識別情報を取得して、この識別情報を用いて当該会議に参加する他のＩＰ電話装置に発呼することができる。
以下、本発明の実施の形態について図面を参照して詳細に説明する。
【手続補正６】
【補正対象書類名】明細書
【補正対象項目名】００９５
【補正方法】変更
【補正の内容】
【００９５】
本発明に係るＩＰ電話システム及び端末情報取得方法、ＩＰ電話装置によれば、ＩＰ電話を用いて会議を行う際の準備に要する労力を低減することができ、スムーズな会議の運営が実現される点で有用である。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
読取位置に固定された読取手段により原稿を移動させながら読み取られた複数の画像データを入力する入力手段と、
前記入力手段により入力された前記複数の画像データを記憶手段に記憶させる記憶制御手段と、
前記記憶手段から前記複数の画像データを読み出す出力手段とを有する画像出力装置であって、
前記入力手段で入力された複数の画像データが、前記固定された読取手段により原稿を移動させながら読み取られたものであるかどうかに応じて前記記憶手段に記憶された複数の画像データの読出順序を判断する判断手段を有し、
前記記憶制御手段は、
前記判断手段で判断された読出順序を特定するための情報を前記複数の画像データと関連付けて前記記憶手段に記憶させ、
前記出力手段は、
前記複数の画像データを前記情報に基づいて前記記憶手段から読み出すことを特徴とする画像出力装置。
【請求項２】
前記記憶手段に前記入力手段で入力された複数の画像データを記憶するのに先立って前記複数の画像データを圧縮する圧縮手段を有することを特徴とする請求項１記載の画像出力装置。
【請求項３】
前記判断手段は、前記複数の画像データの圧縮順序に基づき読出順序を判断することを特徴とする請求項２記載の画像出力装置。
【請求項４】
前記圧縮手段は、１つの原稿からバンド単位で抽出する複数の画像データを前記バンド単位で圧縮し、
前記判断手段は、前記バンド単位で圧縮された前記複数の画像データの圧縮順序に基づき読出順序を判断することを特徴とする請求項２又は３記載の画像出力装置。
【請求項５】
前記入力手段は、
前記読取位置に固定された原稿に対して前記読取手段を移動させる第１の読取処理によって、複数の画像データを入力可能であると共に、
前記読取位置に固定された前記読取手段に対して原稿搬送手段を用いて原稿を移動させる第２の読取処理によって、複数の画像データを入力可能であって、
前記記憶制御手段は、
前記第２の読取処理によって入力される複数の画像データを、前記第１の読取処理によって入力される複数の画像データの読出順序とは逆順で前記記憶手段から読み出すための情報を、
前記第２の読取処理によって入力される前記複数の画像データと関連付けて前記記憶手段に記憶させることを特徴とする請求項１乃至４のいずれかに記載の画像出力装置。
【請求項６】
前記出力手段は、
前記第２の読取処理によって入力される複数の画像データを前記情報に基づいて  前記記憶手段から読み出すか否かを、当該複数の画像データのために回転処理を行う必要があるか否かに基づいて決定することを特徴とする請求項５記載の画像出力装置。
【請求項７】
読取位置に固定された読取手段により原稿を移動させながら読み取られた複数の画像データを入力し、
前記入力された複数の画像データを記憶手段に記憶させ、
前記記憶手段から前記複数の画像データを読み出して出力するデータ処理方法であって、
前記入力された複数の画像データが、前記固定された読取手段により原稿を移動させながら読み取られたものであるかどうかに応じて前記記憶手段に記憶された画像データの読出順序を判断し、
前記判断された読出順序を特定するための情報を前記複数の画像データと関連付けて前記記憶手段に記憶させ、
前記複数の画像データを前記情報に基づいて前記記憶手段から読み出させることを特徴とするデータ処理方法。
【請求項８】
請求項７記載のデータ処理方法をコンピュータに実行させるためのプログラムが記憶されたコンピュータ読取可能な記憶媒体。
【請求項９】
請求項７記載のデータ処理方法をコンピュータに実行させるためのプログラム。
【手続補正２】
【補正対象書類名】明細書
【補正対象項目名】発明の名称
【補正方法】変更
【補正の内容】
【発明の名称】画像出力装置、データ処理方法、記憶媒体、プログラム
【手続補正３】
【補正対象書類名】明細書
【補正対象項目名】０００１
【補正方法】変更
【補正の内容】
【０００１】
本発明は、原稿を移動させながら読み取られる画像データを出力する画像出力装置のデータ処理に関するものである。
【手続補正４】
【補正対象書類名】明細書
【補正対象項目名】０００７
【補正方法】変更
【補正の内容】
【０００７】
本発明は、前記の課題を解決するためになされたもので、本発明の目的は、少ないメモリ容量で構成されるメモリを効率的に利用して、原稿搬送手段より順次搬送される原稿から原稿走査部が読み取る場合でも、記憶されたメモリから読み出される圧縮画像データを正常な出力画像として再生しながら読み出すことができる仕組みを提供することである。
【手続補正５】
【補正対象書類名】明細書
【補正対象項目名】０００８
【補正方法】変更
【補正の内容】
【０００８】
上記目的を達成する本発明の画像出力装置は以下に示す構成を備える。
【手続補正６】
【補正対象書類名】明細書
【補正対象項目名】０００９
【補正方法】変更
【補正の内容】
【０００９】
読取位置に固定された読取手段により原稿を移動させながら読み取られた複数の画像データを入力する入力手段と、前記入力手段により入力された前記複数の画像データを記憶手段に記憶させる記憶制御手段と、前記記憶手段から前記複数の画像データを読み出す出力手段とを有する画像出力装置であって、前記入力手段で入力された複数の画像データが、前記固定された読取手段により原稿を移動させながら読み取られたものであるかどうかに応じて前記記憶手段に記憶された複数の画像データの読出順序を判断する判断手段を有し、前記記憶制御手段は、前記判断手段で判断された読出順序を特定するための情報を前記複数の画像データと関連付けて前記記憶手段に記憶させ、前記出力手段は、前記複数の画像データを前記情報に基づいて前記記憶手段から読み出すことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
複数の表示パターンを選択的に表示し、複数の動作モードを有する表示手段と、
ユーザーにより所定時間より短い期間操作される短時間操作と、ユーザーにより前記所定時間より長い期間操作される長時間操作と、を受け付ける操作手段と、
前記操作手段が前記短時間操作を受けるごとに、前記表示手段の表示パターンを切り替えるように、制御する一方、
前記操作手段が前記長時間操作を受けるごとに、前記表示手段の動作モードを切り替えるように、制御する制御手段と、
を備える表示装置。
【請求項２】
前記制御手段は、前記短時間操作による表示パターンの切り替えがＭ回繰り返されると元の表示パターンに戻るように、制御する一方、前記長時間操作による動作モードの切り替えがＮ回（Ｎ＜Ｍ）繰り返されると元の動作モードに戻るように、制御することを特徴とする請求項１に記載の表示装置。
【請求項３】
複数の表示パターンを選択的に表示し、画面の明るさが相対的に明るい第１モードと画面の明るさが相対的に暗い第２モードとを有する表示手段と、
ユーザーにより所定時間より短い期間操作される短時間操作と、ユーザーにより前記所定時間より長い期間操作される長時間操作と、を受け付ける操作手段と、
前記操作手段が前記短時間操作を受けるごとに、前記表示手段の表示パターンを切り替えるように、制御する一方、
前記操作手段が前記長時間操作を受けるごとに、前記表示手段の第１モードと第２モードとを切り替えるように、制御する制御手段と、
を備える撮像装置。
【請求項４】
前記制御手段は、前記短時間操作による表示パターンの切り替えがＭ回繰り返されると元の表示パターンに戻るように、制御することを特徴とする請求項３に記載の撮像装置。
【請求項５】
画像を撮像する撮像モードと画像を再生する再生モードとを有し、
前記制御手段は、前記第１モードにおいて、前記撮像モードでは、前記操作手段が第２の所定時間以上ユーザーの指示を受けないとき、前記表示手段の明るさを暗くする一方、前記再生モードでは、前記操作手段が前記第２の所定時間以上ユーザーの指示を受けないときであっても、前記表示手段の明るさを変えないよう制御することを特徴とする請求項３または請求項４に記載の撮像装置。
【請求項６】
前記第１モードと前記第２モードとを切り替えること以外について、ユーザーの指示を受け付ける第２操作手段を有し、
前記制御手段は、前記第１モードにおいて、前記撮像モードで、前記操作手段が前記第２の所定時間以上ユーザーの指示を受けないとき、前記表示手段の明るさを暗くし、さらに、前記表示手段の明るさが暗くなった後、前記操作手段または前記第２操作手段がユーザーの指示を受けたとき、前記表示手段の明るさを明るくすることを特徴とする請求項３から請求項５のいずれかに記載の撮像装置。
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
画像データに非可逆圧縮処理を施したデータストリームから、画像データを復号化する復号化手段と、
該復号化手段により復号化された画像データのヒストグラム情報を取得するヒストグラム取得手段と、
該ヒストグラム取得手段により取得されたヒストグラム情報に補正を行うヒストグラム補正手段と、
前記復号化手段により復号化された後の所定の画像データを表示する表示手段とを具備し、
前記表示手段に、前記所定の画像データと、前記ヒストグラム補正手段により補正されたヒストグラム情報とを表示することを特徴とする画像処理装置。
【請求項２】
前記復号化手段により復号化された画像データを所定の解像度に変倍する変倍手段を更に具備することを特徴とする請求項１に記載の画像処理装置。
【請求項３】
前記ヒストグラム取得手段は、前記復号化された画像データの輝度の度数分布及び所定色の度数分布のいずれかあるいは双方を取得することを特徴とする請求項１に記載の画像処理装置。
【請求項４】
前記ヒストグラム補正手段は、前記非可逆圧縮処理を施された画像データの圧縮率に応じて、前記ヒストグラム情報を補正することを特徴とする請求項１に記載の画像処理装置。
【請求項５】
前記ヒストグラム補正手段は、前記非可逆圧縮処理を施されたデータストリームに含まれる情報に応じて、異なる特性のフィルタ処理を行うことを特徴とする請求項１に記載の画像処理装置。
【請求項６】
前記ヒストグラム補正手段は、前記非可逆圧縮処理を施された画像データの圧縮率に応じて、異なる特性のフィルタ処理を行うことを特徴とする請求項１に記載の画像処理装置。
【請求項７】
前記ヒストグラム補正手段は、前記ヒストグラム取得手段により取得されたヒストグラム情報の離散化状況に応じて、異なる特性のフィルタ処理を行うことを特徴とする請求項１に記載の画像処理装置。
【請求項８】
前記ヒストグラム補正手段は、前記非可逆圧縮処理を施されたデータストリームに含まれる量子化テーブルに応じて、異なる特性のフィルタ処理を行うことを特徴とする請求項１に記載の画像処理装置。
【請求項９】
前記非可逆圧縮処理を施されたデータストリームに含まれる情報に応じて、ヒストグラム補正処理を実施するか否かを切り替えることを特徴とする請求項１に記載の画像処理装置。
【請求項１０】
前記非可逆圧縮処理を施された画像データの圧縮率に応じて、ヒストグラム補正処理を実施するか否かを切り替えることを特徴とする請求項１に記載の画像処理装置。
【請求項１１】
前記ヒストグラム取得手段により取得されたヒストグラム情報の離散化状況に応じて、ヒストグラム補正処理を実施するか否かを切り替えることを特徴とする請求項１に記載の画像処理装置。
【請求項１２】
前記非可逆圧縮処理を施されたデータストリームに含まれる量子化テーブルに応じて、ヒストグラム補正処理を実施するか否かを切り替えることを徴とする請求項に記載の画像処理装置。
【請求項１３】
画像データに非可逆圧縮処理を施したデータストリームから、画像データを復号化する復号化手段と、
該復号化手段により復号化された画像データのヒストグラム情報を取得するヒストグラム取得手段と、
該ヒストグラム取得手段により取得されたヒストグラム情報に補正を行うヒストグラム補正手段と、
前記復号化手段により復号化された画像データを複数の所定の解像度に変倍して複数の変倍画像データを生成する変倍手段と、
該変倍手段により変倍された複数の変倍画像データから選択された所定の変倍画像データを表示する表示手段とを具備し、
前記表示手段に、前記複数の変倍画像データのいずれを表示する場合でも、前記ヒストグラム補正手段により補正されたヒストグラム情報を同時に表示することを特徴とする画像処理装置。
【請求項１４】
画像データに非可逆圧縮処理を施したデータストリームから、画像データを復号化する復号化工程と、
該復号化工程において復号化された画像データのヒストグラム情報を取得するヒストグラム取得工程と、
該ヒストグラム取得工程において取得されたヒストグラム情報に補正を行うヒストグラム補正工程と、
前記復号化工程において復号化された後の所定の画像データを表示する表示工程とを具備し、
前記表示工程では、前記所定の画像データと、前記ヒストグラム補正工程において補正されたヒストグラム情報とを表示することを特徴とする画像処理方法。
【請求項１５】
画像データに非可逆圧縮処理を施したデータストリームから、画像データを復号化する復号化工程と、
該復号化工程において復号化された画像データのヒストグラム情報を取得するヒストグラム取得工程と、
該ヒストグラム取得工程において取得されたヒストグラム情報に補正を行うヒストグラム補正工程と、
前記復号化工程において復号化された画像データを複数の所定の解像度に変倍して複数の変倍画像データを生成する変倍工程と、
該変倍工程において変倍された複数の変倍画像データから選択された所定の変倍画像データとともに前記ヒストグラム補正工程で補正されたヒストグラム情報を表示する表示工程とを具備し、
前記表示工程において、前記複数の変倍画像データのいずれを表示する場合でも、前記変倍画像データとともに表示されるヒストグラム情報は、前記ヒストグラム取得工程において同一の画像データから取得されたヒストグラム情報を前記ヒストグラム補正工程において補正したヒストグラム情報であることを特徴とする画像処理方法。
【請求項１６】
請求項１４又は１５に記載の画像処理方法をコンピュータに実行させることを特徴とするプログラム。
【請求項１７】
請求項１６に記載のプログラムをコンピュータ読み取り可能に記憶したことを特徴とする記憶媒体。
【手続補正２】
【補正対象書類名】明細書
【補正対象項目名】００１３
【補正方法】変更
【補正の内容】
【００１３】
また、この発明に係わる画像処理装置において、前記ヒストグラム補正手段は、前記非可逆圧縮処理を施されたデータストリームに含まれる情報に応じて、異なる特性のフィルタ処理を行うことを特徴とする。
【手続補正３】
【補正対象書類名】明細書
【補正対象項目名】００１４
【補正方法】変更
【補正の内容】
【００１４】
また、この発明に係わる画像処理装置において、前記ヒストグラム補正手段は、前記非可逆圧縮処理を施された画像データの圧縮率に応じて、異なる特性のフィルタ処理を行うことを特徴とする。
【手続補正４】
【補正対象書類名】明細書
【補正対象項目名】００１５
【補正方法】変更
【補正の内容】
【００１５】
また、この発明に係わる画像処理装置において、前記ヒストグラム補正手段は、前記ヒストグラム取得手段により取得されたヒストグラム情報の離散化状況に応じて、異なる特性のフィルタ処理を行うことを特徴とする。
【手続補正５】
【補正対象書類名】明細書
【補正対象項目名】００１６
【補正方法】変更
【補正の内容】
【００１６】
また、この発明に係わる画像処理装置において、前記ヒストグラム補正手段は、前記非可逆圧縮処理を施されたデータストリームに含まれる量子化テーブルに応じて、異なる特性のフィルタ処理を行うことを特徴とする。